(57)【要約】【課題】本発明は、無線通信システムにおけるアイドルモード端末の短文メッセージの送信を支援するための方法及び装置を提供する。【解決手段】無線通信システムにおける短文メッセージサービスを支援するための端末の動作方法は、アイドルモードでレンジングメッセージを介して基地局から短文メッセージを受信する過程と、前記基地局から短文メッセージを受信した場合に、タイマーを開始する過程と、前記タイマーが動作する間に、前記短文メッセージに対するＡＣＫメッセージを前記基地局に送信するためのアップリンク資源割り当てを待つ過程と、前記ＡＣＫメッセージを送信するためのアップリンク資源が前記基地局によって割り当てられた場合に、前記タイマーを中止するとともに、前記アップリンク資源を利用して前記ＡＣＫメッセージを前記基地局に送信する過程とを含む。【選択図】図８
2011071983.tif 000002
【特許請求の範囲】
【請求項１】
無線通信システムにおける短文メッセージサービスを支援するための端末の動作方法であって、
アイドルモードでレンジングメッセージを介して基地局から短文メッセージを受信する過程と、
前記基地局から短文メッセージを受信した場合に、タイマーを開始する過程と、
前記タイマーが動作する間に、前記短文メッセージに対するＡＣＫメッセージを前記基地局に送信するためのアップリンク資源割り当てを待つ過程と、
前記ＡＣＫメッセージを送信するためのアップリンク資源が前記基地局によって割り当てられた場合に、前記アップリンク資源を利用して前記ＡＣＫメッセージを前記基地局に送信する過程と
を含むことを特徴とする方法。
【請求項２】
無線通信システムにおける短文メッセージサービスを支援するための基地局の動作方法であって、
レンジングメッセージを介して短文メッセージを端末に送信する過程と、
前記短文メッセージを前記端末に送信した後に、タイマーを開始する過程と、
前記タイマーが動作する間に、前記端末が前記短文メッセージに対するＡＣＫメッセージを前記基地局に送信するためのアップリンク資源を割り当てるとともに、前記短文メッセージに対するＡＣＫメッセージを前記端末から受信する過程と
を含むことを特徴とする方法。
【請求項３】
無線通信システムにおける短文メッセージサービスを支援するための端末装置であって、
アイドルモードでレンジングメッセージを介して基地局から短文メッセージを受信する受信部と、
前記基地局から短文メッセージを受信した場合に、タイマーを開始するとともに、前記タイマーが動作する間に、前記短文メッセージに対するＡＣＫメッセージを前記基地局に送信するためのアップリンク資源割り当てを待つ制御部と、
前記ＡＣＫメッセージを送信するためのアップリンク資源が前記基地局によって割り当てられた場合、前記アップリンク資源を利用して前記ＡＣＫメッセージを前記基地局に送信する送信部と
を備えることを特徴とする端末装置。
【請求項４】
無線通信システムにおける短文メッセージサービスを支援するための基地局装置であって、
レンジングメッセージを介して短文メッセージを端末に送信する送信部と、
前記短文メッセージを前記端末に送信した後に、タイマーを開始するとともに、前記タイマーが動作する間に、前記端末が前記短文メッセージに対するＡＣＫメッセージを前記基地局に送信するためのアップリンク資源を割り当てる制御部と、
前記短文メッセージに対するＡＣＫメッセージを前記端末から受信する受信部と
を備えることを特徴とする基地局装置。
【請求項５】
前記アイドルモードでレンジングメッセージを介して基地局から短文メッセージ受信する過程は、
前記基地局からページング聴取区間にページングメッセージを介して短文メッセージを受信するための位置登録更新手順要求を受信する過程と、
前記基地局にレンジングコードを送信するとともに、前記レンジングコードに対する応答を受信する過程と、
前記基地局にレンジング要請メッセージを送信する過程と、
前記基地局から前記短文メッセージを含んだレンジング応答メッセージを受信する過程と
を含むことを特徴とする請求項１に記載の方法。
【請求項６】
前記レンジングメッセージを介して短文メッセージを送信する過程は、
前記端末にページング聴取区間にページングメッセージを介して短文メッセージを受信するための位置登録更新手順要求を送信する過程と、
前記端末からレンジングコードを受信するとともに、前記レンジングコードに対する応答を送信する過程と、
前記端末からレンジング要請メッセージを受信した後に、前記端末に前記短文メッセージを含んだレンジング応答メッセージを送信する過程と
を含むことを特徴とする請求項２に記載の方法。
【請求項７】
前記レンジング要請メッセージは、短文メッセージ情報のための位置更新登録手順であることを指示する情報を含むことを特徴とする請求項５又は６に記載の方法。
【請求項８】
前記レンジング応答メッセージは、短文メッセージ情報のための位置更新登録手順成功を指示する情報を含むことを特徴とする請求項５又は６に記載の方法。
【請求項９】
前記アップリンク資源は、ＣＤＭＡ  Ａｌｌｏｃａｔｉｏｎ  Ａ−ＭＡＰ  ＩＥであることを特徴とする請求項１又は２に記載の方法。
【請求項１０】
前記アップリンク資源割り当てをデコードするための識別子は、前記レンジング応答メッセージに含まれる、又は前記アイドルモードで用いられる端末識別子に基づいて構成されることを特徴とする請求項１又は２に記載の方法。
【請求項１１】
前記ＡＣＫメッセージのＭＡＣヘッダに含まれるフロー識別子は、前記レンジング応答メッセージを介して基地局から受信する、又は前記短文メッセージの受信応答のために予め定義されたフロー識別子であることを特徴とする請求項１又は２に記載の方法。
【請求項１２】
前記タイマーが満了した場合、前記アイドルモードに遷移する過程をさらに含むことを特徴とする請求項１に記載の方法。
【請求項１３】
前記受信部は、前記基地局からページング聴取区間にページングメッセージを介して短文メッセージを受信するための位置登録更新手順要求を受信し、前記基地局にレンジングコードを送信し、前記レンジングコードに対する応答を受信するとともに、前記基地局から前記短文メッセージを含んだレンジング応答メッセージを受信し、
前記送信部は、前記基地局にレンジング要請メッセージを送信することを特徴とする請求項３に記載の端末装置。
【請求項１４】
前記送信部は、前記端末にページング聴取区間にページングメッセージを介して短文メッセージを受信するための位置登録更新手順要求を送信し、レンジングコードに対する応答を送信するとともに、前記端末に前記短文メッセージを含んだレンジング応答メッセージを送信し、
前記受信部は、前記端末から前記レンジングコードを受信するとともに、前記端末からレンジング要請メッセージを受信することを特徴とする請求項４に記載の基地局装置。
【発明の詳細な説明】
【技術分野】
【０００１】
本発明は、無線通信システムに関し、さらに詳細には、アイドルモード端末を支援する無線通信システムにおける短文メッセージを送信するための方法及び装置に関する。
【背景技術】
【０００２】
次世代通信システムである第４世帯（４ｔｈ  Ｇｅｎｅｒａｔｉｏｎ；以下、４Ｇとする）通信システムでは、約１００Ｍｂｐｓの送信速度を有する多様なサービスをユーザに提供するための研究及び商用化が進められている。特に、現在４Ｇ通信システムでは、無線近距離通信ネットワーク（Ｌｏｃａｌ  Ａｒｅａ  Ｎｅｔｗｏｒｋ；以下、ＬＡＮとする）システム及び無線メトロポリタンエリアネットワーク（Ｍｅｔｒｏｐｏｌｉｔａｎ  Ａｒｅａ  Ｎｅｔｗｏｒｋ；以下、ＭＡＮとする）システムのような広帯域無線アクセス（Ｂｒｏａｄｂａｎｄ  Ｗｉｒｅｌｅｓｓ  Ａｃｃｅｓｓ；ＢＷＡ）通信システムに対して移動性とＱｏＳとを保障する形態で高速サービスを支援するための研究が盛んに行われており、その代表的な通信システムがＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６通信システムである。
【０００３】
前記ＩＥＥＥ  ８０２．１６通信システム規格によれば、端末（Ｍｏｂｉｌｅ  Ｓｔａｔｉｏｎ）は、一定時間の間に送受信するトラフィックが存在しない場合、アイドルモード（ｉｄｌｅ  ｍｏｄｅ）で動作して電力消費を最小化する。前記端末は、アイドルモードでページング聴取区間（ｐａｇｉｎｇ  ｌｉｓｔｅｎｉｎｇ  ｉｎｔｅｒｖａｌ）の間に起動して（ｗａｋｅ  ｕｐ）ページングメッセージを受信する。前記ページングメッセージには、前記アイドルモードの端末に伝達されるダウンリンクデータが存在し、前記アイドルモードから接続モード（ｃｏｎｎｅｃｔｅｄ  ｓｔａｔｅ）に遷移するようにネットワーク再進入動作を行うことを指示するか、又は前記アイドルモードの端末に位置登録更新（ｌｏｃａｔｉｏｎ  ｕｐｄａｔｅ）を行うことを指示する等の情報を含む。前記ダウンリンクデータは、前記アイドルモード端末に送信する短文メッセージ情報を含み、前記端末への短文メッセージが前記基地局で待機している場合に、前記基地局は、ページングメッセージを用いて前記端末がネットワーク再進入動作を行うように指示しなければならない。
【０００４】
一方、ＩＥＥＥ  ８０２．１６ｍ通信システムでは、前記アイドルモードの端末に短文メッセージを送信しなければならない場合には、前記端末がアイドルモードから接続モードへの遷移手順無しで前記短文メッセージを受信することができる方案を提供する。前記ＩＥＥＥ  ８０２．１６ｍ通信システムに定義された前記アイドルモード端末への短文メッセージの送信を支援する手順を、図１を参照して説明する。
【０００５】
図１は、無線通信システムにおける基地局からアイドルモード端末への短文メッセージの送信を示している。
【０００６】
前記図１に示すように、端末１００がアイドルモードのページング非聴取区間動作を行う途中（ステップ１０１）、前記基地局１５０に前記端末１００への短文メッセージが到達する（ステップ１０３）。ステップ１０５にて前記端末１００のページング聴取区間動作が行われ、ステップ１０７にて前記基地局１５０は、前記端末１００の情報を含むページングメッセージを送信する。前記ステップ１０７のページングメッセージは、前記端末１００に位置登録更新手順を行うように指示する情報を含む。前記ステップ１０７にて位置登録更新手順遂行指示情報を含むページングメッセージを受信した前記端末１００は、前記基地局にレンジングコードを送信する（ステップ１０９）。前記端末１００は、前記ステップ１０９にて前記基地局１５０から送信されたレンジングコードに対する応答メッセージを受信する（ステップ１１１）。前記端末１００は、前記基地局１５０に位置更新登録手順遂行であることを知らせる指示子を含むレンジング要請メッセージを送信する（ステップ１１３）。前記端末１００から前記ステップ１１３のレンジング要請メッセージを受信した後、前記基地局１５０は、前記短文メッセージ情報を含むレンジング応答メッセージを送信する（ステップ１１５）。
【０００７】
前記図１を参照して説明したＩＥＥＥ  ８０２．１６ｍでアイドルモード端末に短文メッセージを送信する方案では前記レンジング手順に使用するレンジングメッセージを活用するが、前記レンジング手順と前記短文メッセージを結合する方案では前記アイドルモード端末の処理を複雑にするという点から、前記レンジング手順と関係なく前記アイドルモード端末に短文メッセージを送信する方案の必要性が台頭し始めている。 
【先行技術文献】
【特許文献】
【０００８】
【特許文献１】韓国公開特許第１０−２００６−００４３５３３号公報
【特許文献２】韓国公開特許第１０−２０１０−００３５５７８号公報
【発明の概要】
【発明が解決しようとする課題】
【０００９】
本発明の目的は、アイドルモードにある端末の短文メッセージ送信処理方案を提供することにある。
【課題を解決するための手段】
【００１０】
上述の目的を達成するために、本発明の第１見地によれば、無線通信システムにおける短文メッセージサービス（Ｓｈｏｒｔ  Ｍｅｓｓａｇｅ  Ｓｅｒｖｉｃｅ：ＳＭＳ）を支援するための端末の動作方法であって、アイドルモード（Ｉｄｌｅ  Ｍｏｄｅ）でレンジングメッセージを介して基地局から短文メッセージを受信する過程と、前記基地局から短文メッセージを受信した場合に、タイマーを開始する過程と、前記タイマーが動作する間に、前記短文メッセージに対するＡＣＫ（ＡＣＫｎｏｗｌｅｄｇｅ）メッセージを前記基地局に送信するためのアップリンク資源割り当てを待つ過程と、前記ＡＣＫメッセージを送信するためのアップリンク資源が前記基地局によって割り当てられた場合に、前記アップリンク資源を利用して前記ＡＣＫメッセージを前記基地局に送信する過程とを含む。
【００１１】
また、上述の目的を達成するために、本発明の第２見地によれば、無線通信システムにおける短文メッセージサービスを支援するための基地局の動作方法であって、前記レンジングメッセージを介して短文メッセージを端末に送信する過程と、前記短文メッセージを前記端末に送信した後に、タイマーを開始する過程と、前記タイマーが動作する間に、前記端末が前記短文メッセージに対するＡＣＫメッセージを前記端末に送信するためのアップリンク資源を割り当てるとともに、前記短文メッセージに対するＡＣＫメッセージを前記端末から受信する過程とを含むことを特徴とする。
【００１２】
また、上述の目的を達成するために、本発明の第３見地によれば、無線通信システムにおける短文メッセージサービスを支援するための端末装置であって、アイドルモードでレンジングメッセージを介して基地局から短文メッセージを受信する受信部と、前記基地局から短文メッセージを受信した場合に、タイマーを開始するとともに、前記タイマーが動作する間に、前記短文メッセージに対するＡＣＫメッセージを前記基地局に送信するためのアップリンク資源割り当てを待つ制御部と、前記ＡＣＫメッセージを送信するためのアップリンク資源が前記基地局によって割り当てられた場合に、前記アップリンク資源を利用して前記ＡＣＫメッセージを前記基地局に送信する送信部とを備えることを特徴とする。
【００１３】
また、上述の目的を達成するために、本発明の第４見地によれば、無線通信システムにおける短文メッセージサービスを支援するための基地局装置であって、前記レンジングメッセージを介して短文メッセージを端末装置に送信する送信部と、前記短文メッセージを前記端末装置に送信した後に、タイマーを開始するとともに、前記タイマーが動作する間に、前記端末装置が前記短文メッセージに対するＡＣＫメッセージを前記基地局に送信するためのアップリンク資源を割り当てる制御部と、前記短文メッセージに対するＡＣＫメッセージを前記端末装置から受信する受信部とを備えることを特徴とする。
【００１４】
また、上述の目的を達成するために、本発明の第５見地によれば、無線通信システムにおける短文メッセージサービス（Ｓｈｏｒｔ  Ｍｅｓｓａｇｅ  Ｓｅｒｖｉｃｅ：ＳＭＳ）を処理するための端末の動作方法であって、アイドルモードで送信すべき短文メッセージが発生した場合に、タイマーを駆動して前記短文メッセージの送信に必要なアップリンク資源割り当てを基地局から受信する過程と、前記基地局によって割り当てられたアップリンク資源を利用して短文メッセージを前記基地局に送信する過程と、前記短文メッセージに対するＡＣＫメッセージを前記基地局から受信する過程とを含むことを特徴とする。
【００１５】
また、上述の目的を達成するために、本発明の第６見地によれば、無線通信システムにおける短文メッセージサービスを処理するための基地局の動作方法であって、短文メッセージの送信に必要なアップリンク資源を割り当てるとともに、タイマーを駆動する過程と、前記タイマーを駆動する間に、前記短文メッセージを端末から受信したか否かを確認する過程と、前記短文メッセージを前記端末から受信した場合に、前記タイマーを中止するとともに、前記短文メッセージに対するＡＣＫメッセージを前記端末に送信する過程とを含むことを特徴とする。
【発明の効果】
【００１６】
本発明は、無線通信システムにおいてアイドルモードの端末に短文メッセージを送信するための方案、及びアイドルモード端末から短文メッセージを送信するための方案を提供することによって、アイドルモードと接続モードとの間で不必要な状態遷移をせずにデータを送信することができるという利点がある。
【図面の簡単な説明】
【００１７】
【図１】無線通信システムにおける基地局からアイドルモード端末への短文メッセージの送信を示す図である。
【図２】本発明の実施例にかかる無線通信システムにおいて、アイドルモード端末に短文メッセージを送信する場合の基地局と端末との間の信号フローチャートである。
【図３】本発明の実施例にかかる無線通信システムにおいて、アイドルモード端末が短文メッセージを送信する場合の基地局と端末との間の信号フローチャートである。
【図４】本発明の実施例にかかる無線通信システムにおいて、アイドルモードで短文メッセージを受信する端末の動作フローチャートである。
【図５】本発明の実施例にかかる無線通信システムにおいて、アイドルモードの端末に短文メッセージを送信する基地局の動作フローチャートである。
【図６】本発明の実施例にかかる無線通信システムにおいて、アイドルモードで短文メッセージを送信する端末の動作フローチャートである。
【図７】本発明の実施例にかかる無線通信システムにおいて、アイドルモードの端末から短文メッセージを受信する基地局の動作フローチャートである。
【図８】本発明の実施例にかかる無線通信システムにおいて、アイドルモードの端末から短文メッセージを送受信するための装置図である。
【図９】本発明の実施例にかかる無線通信システムにおいて、短文メッセージに対する受信応答を処理する端末の動作フローチャートである。
【図１０】本発明の実施例にかかる無線通信システムにおいて、短文メッセージに対する受信応答を処理する基地局の動作フローチャートである。
【図１１】本発明の実施例にかかる無線通信システムにおいて、短文メッセージを処理する端末の動作フローチャートである。
【図１２】本発明の実施例にかかる無線通信システムにおいて、短文メッセージを処理する基地局の動作フローチャートである。
【発明を実施するための形態】
【００１８】
以下、本発明の好ましい実施の形態を、添付された図面を参照して詳細に説明する。なお、本発明を説明するに当たって、関連した公知機能あるいは構成についての具体的な説明が本発明の要旨を不明にするおそれがあると判断された場合には、その詳細な説明を省略する。そして、後述する用語は、本発明での機能を考慮して定義された用語であり、これは、ユーザ、運用者の意図又は慣例などによって変わりうる。したがって、その定義は、本明細書全般にわたる内容に基づいて行わなければならない。
【００１９】
以下、本発明は、無線通信システム（例：ＩＥＥＥ  ８０２．１６ｍシステム）におけるアイドルモード端末への短文メッセージ送信及びアイドルモード端末からの短文メッセージの送信を支援するための方法、並びに装置について説明する。
【００２０】
図２は、本発明の実施例にかかる無線通信システムにおいて、アイドルモード端末に短文メッセージを送信する場合の基地局と端末との間の信号フローを示している。
【００２１】
前記図２に示すように、前記端末２００は、ステップ２０１にてアイドルモードのページング非聴取区間動作を行う途中、ステップ２０５にて前記アイドルモードのページング聴取区間に遷移する。一方、前記基地局２５０は、ステップ２０３にて前記アイドルモードにある前記端末２００に送信する短文メッセージ（Ｓｈｏｒｔ  Ｍｅｓｓａｇｅ  Ｓｅｒｖｉｃｅ：ＳＭＳ）の発生を認知し、ステップ２０７にてページング聴取区間動作を行う前記端末２００の情報を含むページングメッセージを送信する。前記ページングメッセージは、前記端末２００に位置登録更新手順を行うことを指示する情報を含む。ここで、前記位置登録更新手順を行う指示は、一般的な位置登録更新手順を行う指示情報に該当するが、短文メッセージを受信するための位置登録更新手順を行えという指示情報を別途に定義する場合には、このような指示情報を前記ステップ２０７のページングメッセージに含めてもよい。
【００２２】
前記端末２００は、ステップ２０９にて前記基地局２５０へレンジングコードを送信し、ステップ２０９にて前記基地局２５０からレンジングコード応答メッセージを受信する。前記端末２００は、ステップ２１３にて前記基地局２５０に位置更新登録手順遂行を知らせる指示子を含むレンジング要請メッセージを送信する。一方、前記端末２００が前記ステップ２０７のページングメッセージを介して短文メッセージ送信情報を既に知っている場合には、前記ステップ２１３にて送信するレンジング要請メッセージに短文メッセージ情報のための位置更新登録手順遂行であることを知らせる指示子を含めることができる。
【００２３】
前記レンジング要請メッセージに含まれる、短文メッセージ情報のための位置更新登録手順遂行であることを知らせる指示子は、前記レンジング要請メッセージのフィールドであるＲａｎｇｉｎｇ  ｐｕｒｐｏｓｅ  ｉｎｄｉｃａｔｏｒの１ビットを用いることができる。
【００２４】
【表１】
2011071983.tif 000003
【００２５】
「Ｒａｎｇｉｎｇ  Ｐｕｒｐｏｓｅ  Ｉｎｄｉｃａｔｏｒ」のｂｉｔ＃０が１にセットされた場合、ｓｅｒｖｉｎｇ  ＢＳＩＤと結合してＢＳＩＤは、端末が現在ＨＯを試みていることを表し、ｂｉｔ＃１が１にセットされた場合、Ｐａｇｉｎｇ  Ｃｏｎｔｒｏｌｌｅｒ  ＩＤと結合して端末は、アイドルモードから基地局へネットワーク再進入を試みていることを表し、ｂｉｔ＃２が１にセットされた場合、現在端末が用意したハンドオーバを試みていることを表し、Ｂｉｔ＃３が１にセットされた場合、ＭＳがＩｄｌｅ  Ｍｏｄｅ  Ｌｏｃａｔｉｏｎ  Ｕｐｄａｔｅ  ｐｒｏｃｅｓｓを行うことを表す。そして、Ｂｉｔ＃４が１にセットされた場合、緊急呼処理（ｅｍｅｒｇｅｎｃｙ  ｃａｌｌ  ｐｒｏｃｅｓｓ）の端末動作を表す。最後に、Ｂｉｔ＃５が１にセットされた場合、短文メッセージサービスのためのＩｄｌｅ  Ｍｏｄｅ  Ｌｏｃａｔｉｏｎ  Ｕｐｄａｔｅ  ｐｒｏｃｅｓｓを始めていることを表す。
【００２６】
以後、前記端末２００は、ステップ２１５にて前記基地局２５０から前記レンジング要請メッセージに対する応答としてレンジング応答メッセージを受信する。前記レンジング応答メッセージは、前記端末２００に短文メッセージ情報のための位置更新登録手順であることを知らせる指示子を含む。前記短文メッセージ情報のための位置更新登録手順であることを知らせる指示子は、前記端末２００の位置登録更新手順遂行に対する応答として前記端末２００が受信する短文メッセージがあることを知らせる。
【００２７】
前記レンジング応答メッセージに含む短文メッセージ情報のための位置更新登録手順であることを知らせる指示子は、前記レンジング応答メッセージのフィールドであるＬｏｃａｔｉｏｎ  ｕｐｄａｔｅ  ｒｅｓｐｏｎｓｅの１ビットを活用できる。
【００２８】
【表２】
2011071983.tif 000004
【００２９】
また、前記レンジング応答メッセージは、前記端末２００が短文メッセージを受信するために使用する端末識別子（ＳＴａｔｉｏｎＩ  Ｄｅｎｔｉｆｉｅｒ：ＳＴＩＤ）を含む。
【００３０】
以後、前記端末２００は、ステップ２１７にて前記基地局２５０から前記短文メッセージ情報を含むＬ２送信メッセージを受信する。前記Ｌ２送信メッセージは、前記ステップ２１５にて受信したＳＴＩＤ情報を利用してエンコードされており、前記Ｌ２送信メッセージのヘッダには、ｐｒｉｍａｒｙ  ｃｏｎｎｅｃｔｉｏｎに該当するフロー識別子（以下、ＦＩＤ（Ｆｌｏｗ  ＩＤｅｎｔｉｆｉｅｒ）とする）が含まれる。前記端末２００は、ステップ２１９にて前記短文メッセージ情報を含むＬ２送信メッセージを受信した後、前記基地局２５０にＡＣＫメッセージを送信する。以後、前記端末２００は、ステップ２２１にてアイドルモード動作を行う。前記基地局２５０は、前記端末２００からＡＣＫメッセージを受信した後、前記端末２００に割り当てたＳＴＩＤとｐｒｉｍａｒｙ  ｃｏｎｎｅｃｔｉｏｎとを解除し、前記端末２００をアイドルモード端末として管理する。
【００３１】
図３は、本発明の実施例にかかる無線通信システムにおいて、アイドルモード端末が短文メッセージを送信する場合の基地局と端末との間の信号フローチャートを示している。
【００３２】
前記図３に示すように、ステップ３０１にてアイドルモード動作を行う途中、前記端末３００は、ステップ３０３にてアップリンクに送信する短文メッセージがバッファにあることを認知する。前記端末３００は、ステップ３０５にて前記短文メッセージを送信するために、前記基地局３５０への接続のためにレンジングコードを送信する。以後、前記端末３００は、ステップ３０７にて前記基地局３５０から送信したレンジングコードに対するレンジングコード応答メッセージを受信する。前記端末３００は、ステップ３０９にて前記基地局３５０にレンジング要請メッセージを送信する。前記レンジング要請メッセージは、短文メッセージを送信するための位置更新手順を行うことを知らせる指示子を含み、前記レンジング要請メッセージに含んだ前記指示子は、前記表１のように表すことができる。前記短文メッセージを送信するための位置更新手順を行うことを知らせる指示子を含んだ前記レンジング要請メッセージを受信した前記基地局３５０は、ステップ３１１にて前記端末３００にレンジング応答メッセージを送信する。前記ステップ３１１にて送信する前記レンジング応答メッセージは、前記表２のような構造を有する短文メッセージを送信するための位置更新手順遂行を知らせる指示子を含む。前記位置更新手順遂行を知らせる指示子は、前記位置更新手順を行うことを知らせる指示子に対する応答であって、前記基地局３５０は、端末が送信する短文メッセージを受信する用意を知らせる。
【００３３】
また、前記端末３００が前記短文メッセージを送信するのに使用するＳＴＩＤ（端末識別子）を前記レンジング応答メッセージを介して送信する。前記端末３００は、ステップ３１３にて前記基地局３５０へ短文メッセージ情報を含むＬ２送信メッセージを送信する。前記端末３００は、前記Ｌ２送信メッセージを送信するとき、前記ステップ３１１にて受信したＳＴＩＤ及びｐｒｉｍａｒｙ  ｃｏｎｎｅｃｔｉｏｎに該当するＦＩＤを利用する。また、ここで、前記Ｌ２送信メッセージを送信するために、前記端末３００は、前記基地局３５０からアップリンク帯域を割り当てなければならないが、このとき、前記ＳＴＩＤとｐｒｉｍａｒｙ  ｃｏｎｎｅｃｔｉｏｎに該当するＦＩＤを利用する。前記基地局３５０は、前記端末３００から前記短文メッセージ情報を含むＬ２送信メッセージを受信した後、ステップ３１５にて前記端末３００にＡＣＫメッセージを送信する。前記端末３００は、前記ＡＣＫメッセージを受信した後、ステップ３１７に進んでアイドルモード動作を行い続ける。前記ステップ３１７にて前記基地局３５０は、前記端末３００の短文メッセージを送信するために割り当てたＳＴＩＤ及びｐｒｉｍａｒｙ  ｃｏｎｎｅｃｔｉｏｎに該当するＦＩＤを解除した後、前記端末３００をアイドルモード端末として管理し続ける。
【００３４】
図４は、本発明の実施例にかかる無線通信システムにおいて、アイドルモードで短文メッセージを受信する端末の動作を示す。
【００３５】
前記図４に示すように、前記端末は、ステップ４０１にてアイドルモードのページング非聴取区間に存在する。前記端末は、ステップ４０３にてページング聴取区間へ遷移する時点であるか否かを確認し、前記ページング聴取区間に遷移する場合、ステップ４０５に進んで前記ページング聴取区間でページングメッセージを受信する。前記ステップ４０３の判断の結果、ページング聴取区間に遷移する時点でないと、ステップ４０１のページング非聴取区間を維持する。
【００３６】
以後、前記端末は、ステップ４０７にて前記ページングメッセージに該当情報が含まれているか否かを判断し、前記ページングメッセージに該当情報が含まれていない場合、前記ステップ４０１に進む。前記ステップ４０７の判断の結果、前記ページングメッセージに前記端末の情報が含まれているとき、前記端末は、ステップ４０９に進んで前記端末の情報がネットワーク再進入指示であるか否かを判断する。前記ステップ４０９にてネットワーク再進入指示を受信すると、前記端末は、ステップ４１１にてネットワーク再進入手順を行い、ステップ４１３にてアイドルモードを終了する。前記ステップ４１１にて行うネットワーク再進入手順は、前記端末が前記基地局とレンジング手順を行うことから始まる。ただし、前記ネットワーク再進入手順は、本発明とは直接関係がないので詳細な説明は省略する。
【００３７】
これに対し、ネットワーク再進入指示ではないとき、前記端末は、ステップ４１５にて前記端末情報が位置登録更新遂行を指示しているか否かを判断する。前記ステップ４１５にて前記端末の位置登録更新手順遂行を指示するとき、前記端末は、ステップ４１７にて前記基地局へのコード基盤のレンジング手順を行う。前記レンジング手順は、前記図２のステップ２０９〜ステップ２１１に該当する。前記端末は、ステップ４１９にて前記基地局へレンジング要請メッセージを送信し、前記レンジング要請メッセージには前記端末が位置登録更新手順を行うことを知らせる情報を含む。このとき、前記表１の情報を含むことができる。以後、前記端末は、ステップ４２１にて前記基地局からレンジング応答メッセージを受信し、ステップ４２３にて前記レンジング応答メッセージに短文メッセージ指示情報が含まれているか否かを判断する。前記ステップ４２３の短文メッセージ指示情報は、前記短文メッセージを送信するための位置登録更新遂行指示子であり、前記表２の情報に該当する。
【００３８】
前記ステップ４２３の判断の結果、前記端末に短文メッセージが送信されるのを知らせる指示子が含まれている場合、前記ステップ４２１のレンジング応答メッセージは、前記端末が短文メッセージを受信するのに必要なＳＴＩＤ情報を含む。また、前記端末は、前記短文メッセージを受信するために、ｐｒｉｍａｒｙ  ｃｏｎｎｅｃｔｉｏｎが設定されており、前記ｐｒｉｍａｒｙ  ｃｏｎｎｅｃｔｉｏｎに該当するＦＩＤを使用しうることを認知する。
【００３９】
前記端末は、ステップ４２５にて前記短文メッセージ情報を含んだＬ２送信メッセージを受信する。前記Ｌ２送信メッセージは、前記ＳＴＩＤ及びｐｒｉｍａｒｙ  ｃｏｎｎｅｃｔｉｏｎに該当するＦＩＤを利用してデコードできる。前記端末は、ステップ４２７にて前記基地局へＡＣＫメッセージを送信し、ステップ４０１に進んでアイドルモード動作を行い続ける。
【００４０】
前記ステップ４２３の判断の結果、短文メッセージ情報指示子が含まれていない場合、前記端末は、前記ステップ４０１に進んでアイドルモード動作を行い続ける。
【００４１】
前記ステップ４１５の判断の結果、前記端末の位置登録更新手順遂行が指示されていない場合、その他の定義された手順を行う（例：ステップ４０１に進む）。
【００４２】
図５は、本発明の実施例にかかる無線通信システムにおいて、アイドルモードの端末に短文メッセージを送信する基地局の動作を示す。
【００４３】
前記図５に示すように、前記基地局は、ステップ５０１にてメッセージバッファにアイドルモードにある端末への短文メッセージが到着したことを認知する。前記基地局は、ステップ５０３にて前記端末のページング聴取区間に該当する時点まで待機する。前記基地局は、ステップ５０５にて前記端末のページング聴取区間で前記端末に位置登録更新手順を行うことを指示するページングメッセージを送信する。
【００４４】
以後、前記基地局は、ステップ５０７にて前記端末の位置登録更新手順メッセージ（レンジング要請メッセージ）を受信するまで待機し、ステップ５０９にて前記端末から位置登録更新手順であることを指示する情報を含むレンジング要請メッセージを受信しているか否かを判断する。前記ステップ５０９にて前記端末から受信するレンジング要請メッセージは、前記表１の情報を含むことができる。前記基地局は、ステップ５１１にて前記レンジング要請メッセージに対する応答としてレンジング応答メッセージを送信する。前記レンジング応答メッセージは、前記端末に短文メッセージを送信することを指示する指示子（前記表２の情報）と前記端末のＳＴＩＤ情報とを含む。
【００４５】
以後、前記基地局は、ステップ５１３にて前記端末に前記短文メッセージ情報を含むＬ２送信メッセージを送信する。前記基地局は、ステップ５１５にて前記端末からＡＣＫメッセージを受信し、ステップ５１７にて前記端末がアイドルモードに進んだことを認知する。
【００４６】
図６は、本発明の他の実施例にかかる無線通信システムにおいて、アイドルモードで短文メッセージを送信する端末の動作を示す。
【００４７】
前記図６に示すように、前記端末は、ステップ６０１にてアイドルモード状態にとどまる途中にステップ６０３にてバッファに短文メッセージが発生したか否かを判断する（すなわち、ユーザにより短文メッセージの入力がある場合）。前記ステップ６０３にて前記端末が送信する短文メッセージが存在すると判断された場合、ステップ６０５に進んで前記端末は、前記短文メッセージを送信するための位置登録更新手順を行うために、コード基盤のレンジング手順を行う。前記ステップ６０５は、前記図３のステップ３０５〜ステップ３０７に該当する。前記端末は、ステップ６０７にて短文メッセージを送信するための位置登録更新手順を行うことを知らせる指示情報を含むレンジング要請メッセージを送信する。前記短文メッセージを送信するための位置登録更新手順遂行を知らせる指示情報は、前記表１に該当する。前記端末は、ステップ６０９にて前記基地局からレンジング応答メッセージを受信する。前記レンジング応答メッセージは、前記表２に該当する短文メッセージを送信するための位置登録更新手順遂行を知らせる指示情報を含み、前記端末が前記短文メッセージ送信に使用するＳＴＩＤ情報を含む。前記端末は、ステップ６１１にて短文メッセージ情報を含むＬ２送信メッセージを送信する。このとき、前記端末は、前記Ｌ２送信メッセージを送信するためのアップリンク帯域要請／割り当て手順のために、前記ステップ６０９のレンジング応答メッセージに含まれたＳＴＩＤ及びｐｒｉｍａｒｙ  ｃｏｎｎｅｃｔｉｏｎＦＩＤ情報を利用する。前記端末は、ステップ６１３にて前記基地局からＡＣＫメッセージを受信し、前記ステップ６０１に進んでアイドルモード動作を行い続ける。
【００４８】
図７は、本発明の他の実施例にかかる無線通信システムにおいて、アイドルモードの端末から短文メッセージを受信する基地局の動作を示す。
【００４９】
前記図７に示すように、前記基地局は、ステップ７０１にて短文メッセージを送信するための位置登録更新手順遂行であることを指示するレンジング要請メッセージを受信する。前記レンジング要請メッセージは、前記表１の情報を含む。前記基地局は、ステップ７０３の前記レンジング要請メッセージを送信した端末がアイドルモードにある端末であることを認知し、ステップ７０５にて前記端末に前記短文メッセージを送信するための位置登録更新手順遂行指示子を含むレンジング応答メッセージを送信する。前記指示子情報は、前記表２の情報に該当する。前記基地局は、前記端末が短文メッセージ送信に使用するＳＴＩＤ情報を前記レンジング応答メッセージに送信する。また、前記基地局は、前記端末が短文メッセージ情報を送信するｐｒｉｍａｒｙ  ｃｏｎｎｅｃｔｉｏｎを設定する。以後、前記基地局は、ステップ７０７にて前記端末から短文メッセージ情報を含んだＬ２送信メッセージを受信する。前記ステップ７０７の前に前記基地局は、前記端末が送信するＬ２送信メッセージのためのアップリンク帯域要請／割り当て手順を行うことができる。
【００５０】
以後、前記基地局は、ステップ７０９にて前記端末にＡＣＫメッセージを送信し、ステップ７１１にて前記端末が再度アイドルモードの動作を行い続けることを認知する。前記ステップ７１１にて前記基地局は、前記ステップ７０５にて前記端末に割り当てたＳＴＩＤ及びｐｒｉｍａｒｙ  ｃｏｎｎｅｃｔｉｏｎを解除する。
【００５１】
以上、図３、図６及び図７の手順において前記端末と基地局との間の前記短文メッセージ情報を含むＬ２送信メッセージを送信するためのアップリンク帯域要請及び割り当て手順を行うことを仮定して説明した。一方、前記基地局は、前記端末が送信するレンジング要請メッセージを介して前記端末が短文メッセージ情報を含むＬ２送信メッセージを送信することが予め分かる。このとき、前記別途のアップリンク帯域要請及び割り当て手順無しで前記レンジング応答メッセージを介して前記Ｌ２送信メッセージを送信する帯域割り当て情報を共に送信することもできる。
【００５２】
一方、アイドルモード端末に伝達する短文メッセージ及び一般的なダウンリンクデータが基地局に存在する場合、前記基地局は、前記アイドルモード端末のページング聴取区間でネットワーク再進入を指示するページングメッセージを送信する。以後、前記端末とのネットワーク再進入手順が完了すると、前記基地局は、前記端末に前記短文メッセージ及び一般的なダウンリンクデータを伝達する。反対に、アイドルモード端末が送信する短文メッセージ及び一般的なアップリンクデータが存在する場合、前記端末は、基地局へのネットワーク再進入手順を行い、以後、前記短文メッセージ及び一般的なアップリンクデータを送信する。上述の動作は、一般的なアイドルモードから接続状態（ｃｏｎｎｅｃｔｅｄ  ｓｔａｔｅ）への遷移動作と異ならず、状態遷移の際に行うネットワーク再進入手順に従うようになる。
【００５３】
図８は、本発明の実施例にかかる無線通信システムにおいて、アイドルモードの端末から短文メッセージを送受信するための装置を示している。前記装置は、基地局あるいは端末でありうる。
【００５４】
前記図８に示すように、前記装置は、ＲＦ処理器８０１、ＡＤＣ８０３、ＯＦＤＭ復調器８０５、復号化器８０７、メッセージ処理部８０９、制御部８１１、メッセージ生成部８１７、符号化器８１９、ＯＦＤＭ変調器８２１、ＤＡＣ（Ｄｉｇｉｔａｌ  ｔｏ  Ａｎａｌｏｇ  Ｃｏｎｖｅｒｔｅｒ）８２３、ＲＦ処理器８２５を備えて構成される。ここで、ＲＦ処理器８０１とＲＦ処理器８２５とは、ＴＤＤ（Ｔｉｍｅ  Ｄｉｖｉｓｉｏｎ  Ｄｕｐｌｅｘ）あるいはＦＤＤ（Ｆｒｅｑｕｅｎｃｙ  Ｄｉｖｉｓｉｏｎ  Ｄｕｐｌｅｘ）モードで動作できる。例えば、ＴＤＤモードで動作する際、時間制御機８２９は、受信区間の間にスイッチ８２７を制御してＲＦ処理器８０１を動作させ、送信区間の間にスイッチ８２７を制御してＲＦ処理器８２５を動作させる。
【００５５】
前記ＲＦ処理器４０１は、アンテナを介して受信されるＲＦ（Ｒａｄｉｏ  Ｆｒｅｑｕｅｎｃｙ）信号をベースバンドアナログ信号に変換する。ＡＤＣ８０３は、前記ＲＦ処理器８０１からのアナログ信号をサンプルデータに変換して出力する。ＯＦＤＭ復調器８０５は、前記ＡＤＣ８０３から出力されるサンプルデータをＦＦＴ（Ｆａｓｔ  Ｆｏｕｒｉｅｒ  Ｔｒａｎｓｆｏｒｍ）して周波数領域のデータに変換し、前記周波数領域のデータから実際受信しようとする副搬送波のデータを選択して出力する。復号化器８０７は、前記ＯＦＤＭ復調器８０５からのデータを予め決まった変調水準（ＭＣＳレベル）に応じて復調（ｄｅｍｏｄｕｌａｔｉｏｎ）及び復号（ｄｅｃｏｄｉｎｇ）化して出力する。前記メッセージ処理部８０９は、前記復号化器８０７から入力される制御メッセージを分割して、その結果を制御部８１１に提供する。例えば、レンジング要請メッセージ、レンジング応答メッセージ、ページングメッセージなどを分割して、その結果を制御部８１１に提供する。
【００５６】
前記制御部８１１は、前記メッセージ処理部８０９からの情報に対する該当処理を行い、また送信する情報を生成してメッセージ生成部８１７に提供する。前記メッセージ生成部８１７は、前記制御部８１１から提供された各種情報をもってメッセージを生成して、物理階層の符号化器８１９に出力する。例えば、レンジング要請メッセージ、レンジング応答メッセージ、ページングメッセージなどを生成して、物理階層の符号化器８１９に出力する。
【００５７】
前記符号化器８１９は、前記メッセージ生成部８１７からのデータを予め決まった変調水準（ＭＣＳレベル）に応じて符号及び変調して出力する。ＯＦＤＭ変調器８２１は、前記符号化器８１９からのデータをＩＦＦＴ（Ｉｎｖｅｒｓｅ  Ｆａｓｔ  Ｆｏｕｒｉｅｒ  Ｔｒａｎｓｆｏｒｍ）してサンプルデータ（ＯＦＤＭシンボル）を出力する。ＤＡＣ８２３は、前記サンプルデータをアナログ信号に変換して出力する。前記ＲＦ処理器８２５は、前記ＤＡＣ８２３からのアナログ信号をＲＦ（Ｒａｄｉｏ  Ｆｒｅｑｕｅｎｃｙ）信号に変換してアンテナを介して送信する。
【００５８】
上述した構成において、前記制御部８１１は、プロトコル制御部であって、前記メッセージ処理部８０９及び前記メッセージ生成部８１７を制御する。すなわち、前記制御部８１１は、前記メッセージ処理部８０９、前記メッセージ生成部８１７の機能を果たすことができる。本発明においてこれを別途に構成したことは、各機能を区別して説明するためである。したがって、実際に具現する場合、これら全部を制御部８１１で処理するように構成でき、これらのうちの一部のみを前記制御部８１１で処理するように構成できる。また、前記制御部８１１は、プロトコル処理遂行中に必要な情報を物理階層の該当構成部に提供するか、又は物理階層の該当構成部に制御信号を発生する。
【００５９】
基地局が端末に短文メッセージを送信する場合の動作を述べると、前記端末２００の制御部８１１は、アイドルモードのページング非聴取区間動作を行う途中、前記アイドルモードのページング聴取区間に遷移する。
【００６０】
前記基地局２５０の制御部８１１は、前記アイドルモードにある前記端末２００に送信する短文メッセージ（Ｓｈｏｒｔ  Ｍｅｓｓａｇｅ  Ｓｅｒｖｉｃｅ：ＳＭＳ）の発生を認知し、ページング聴取区間動作を行う前記端末２００の情報を含むページングメッセージを送信する。前記ページングメッセージは、前記端末２００に位置登録更新手順を行うことを指示する情報を含む。
【００６１】
前記端末２００の制御部８１１は、前記基地局２５０にレンジングコードを送信し、前記基地局２５０からレンジングコード応答メッセージを受信する。前記端末２００の制御部８１１は、前記基地局２５０に位置更新登録手順遂行を知らせる指示子を含むレンジング要請メッセージを送信する。前記レンジング要請メッセージに含む短文メッセージ情報のための位置更新登録手順遂行であることを知らせる指示子は、前記レンジング要請メッセージのフィールドであるＲａｎｇｉｎｇ  ｐｕｒｐｏｓｅ  ｉｎｄｉｃａｔｏｒの１ビットを用いることができる。
【００６２】
前記端末２００の制御部８１１は、前記基地局２５０から前記レンジング要請メッセージに対する応答としてレンジング応答メッセージを受信する。前記レンジング応答メッセージは、前記端末２００に短文メッセージ情報のための位置更新登録手順であることを知らせる指示子を含む。前記短文メッセージ情報のための位置更新登録手順であることを知らせる指示子は、前記端末２００の位置登録更新手順遂行に対する応答として前記端末２００が受信する短文メッセージがあることを知らせる。
【００６３】
前記端末２００の制御部８１１は、前記基地局２５０から前記短文メッセージ情報を含むＬ２送信メッセージを受信する。前記Ｌ２送信メッセージは、前記ステップ２１５にて受信したＳＴＩＤ情報を利用してエンコードされており、前記Ｌ２送信メッセージのヘッダには、ｐｒｉｍａｒｙ  ｃｏｎｎｅｃｔｉｏｎに該当するＦＩＤ（Ｆｌｏｗ  ＩＤｅｎｔｉｆｉｅｒ）が含まれる。前記端末２００の制御部８１１は、前記短文メッセージ情報を含むＬ２送信メッセージを受信した後、前記基地局２５０にＡＣＫメッセージを送信する。前記端末２００の制御部８１１は、ＡＣＫメッセージを送信した後、アイドルモード動作を行う。前記基地局２５０の制御部８１１は、前記端末２００からＡＣＫメッセージを受信した後、前記端末２００に割り当てたＳＴＩＤとｐｒｉｍａｒｙ  ｃｏｎｎｅｃｔｉｏｎとを解除し、前記端末２００をアイドルモード端末として管理する。
【００６４】
反対に、端末が基地局に短文メッセージを送信する場合の動作を述べると、アイドルモード動作を行う途中、前記端末３００の制御部８１１は、アップリンクに送信する短文メッセージがバッファにあることを認知し、前記短文メッセージを送信するために前記基地局３５０への接続のためのレンジングコードを送信する。前記端末３００の制御部８１１は、前記基地局３５０から送信したレンジングコードに対するレンジングコード応答メッセージを受信する。前記端末３００の制御部８１１は、前記基地局３５０にレンジング要請メッセージを送信する。前記レンジング要請メッセージは、短文メッセージを送信するための位置更新手順を行うことを知らせる指示子を含み、前記レンジング要請メッセージに含んだ前記指示子は、前記表１のように表すことができる。
【００６５】
前記基地局３５０の制御部８１１は、前記端末３００にレンジング応答メッセージを送信する。前記レンジング応答メッセージは、前記表２のような構造を有する短文メッセージを送信するための位置更新手順遂行を知らせる指示子を含む。前記位置更新手順遂行を知らせる指示子は、前記位置更新手順を行うことを知らせる指示子に対する応答で、前記基地局３５０は、端末が送信する短文メッセージを受信する用意を知らせる。
【００６６】
また、前記端末３００の制御部８１１は、前記短文メッセージを送信するのに使用するＳＴＩＤ（端末識別子）を前記レンジング応答メッセージを介して送信する。前記端末３００の制御部８１１は、前記基地局３５０に短文メッセージ情報を含むＬ２送信メッセージを送信する。前記端末３００の制御部８１１は、前記Ｌ２送信メッセージを送信するとき、受信したＳＴＩＤ及びｐｒｉｍａｒｙ  ｃｏｎｎｅｃｔｉｏｎに該当するＦＩＤを利用する。また、ここで、前記Ｌ２送信メッセージを送信するために、前記端末３００の制御部８１１は、前記基地局３５０からアップリンク帯域を割り当てられなければならないが、このとき、前記ＳＴＩＤとｐｒｉｍａｒｙ  ｃｏｎｎｅｃｔｉｏｎに該当するＦＩＤとを利用する。前記基地局３５０の制御部８１１は、前記端末３００から前記短文メッセージ情報を含むＬ２送信メッセージを受信した後、前記端末３００にＡＣＫメッセージを送信する。前記端末３００の制御部８１１は、前記ＡＣＫメッセージを受信した後、アイドルモード動作を行い続ける。
【００６７】
一方、前記図２の例では、Ｌ２送信メッセージを利用して短文メッセージが送信される場合、前記短文メッセージを受信し、該受信した短文メッセージに対するＡＣＫを送信するために端末にＳＴＩＤ及びＦＩＤを割り当てる場合について説明した。前記ＳＴＩＤ及び前記ＦＩＤは、基地局と端末との間の接続（ｃｏｎｎｅｃｔｉｏｎ）がなされた状態で割り当てられる。換言すれば、図２の例では、Ｌ２送信メッセージを利用するためには、端末識別子（ＳＴＩＤ）に基づく帯域幅要請動作が必要である。
【００６８】
下記の図９〜図１２の他の実施の形態では、前記アイドルモードにある端末にＳＴＩＤ及びＦＩＤを割り当てずに、前記Ｌ２階層の短文メッセージを送信するために、前記基地局は、前記ステップ２１５のレンジング応答メッセージ中に前記短文メッセージを含むことができる。このような場合、前記レンジング応答メッセージに含まれた短文メッセージに対する受信応答を端末が送信する方案が必要である。このために、基地局と端末との間が非接続（ｃｏｎｎｅｃｔｉｏｎｌｅｓｓ）の状態で別途の短文メッセージに対する受信応答資源を利用する。換言すれば、端末からの資源要請がなくても（ｕｎｓｏｌｉｃｉｔｅｄ）基地局は、ＡＣＫメッセージを送信するための上位リンク資源を割り当てる。
【００６９】
図９は、本発明の実施例にかかる無線通信システムにおいて、短文メッセージに対する受信応答を処理する端末の動作フローチャートを示している。
【００７０】
図９に示すように、前記端末は、ステップ９０１にて短文メッセージを含むレンジング応答メッセージを受信すると、ステップ９０３にてタイマーＸを開始させる。前記ステップ９０１にて前記短文メッセージを含むレンジング応答メッセージは、前記ステップ２１５のレンジング応答メッセージに該当する。前記タイマーＸが開始された後に前記端末は、ステップ９０５にて前記基地局と非接続状態で前記基地局から前記短文メッセージに対するＡＣＫメッセージを送信するアップリンク資源が割り当てられるのを待つ。
【００７１】
前記端末にアップリンク資源が割り当てられたか否かを判断できる前記アップリンク資源のデコードの際に用いられる識別子は、前記ステップ９０１のレンジング応答メッセージに含まれている。あるいは前記識別子は、前記端末がアイドルモードで使用する端末識別子に基づいて構成することができ、前記端末のページング周期などのような情報と結合して前記端末を区分するために使用することができる。前記ステップ９０５の確認の結果、前記端末に前記ＡＣＫメッセージを送信するためのアップリンク資源が割り当てられると、前記端末は、ステップ９０９にて前記タイマーＸを中断し、ステップ９１１にて前記基地局にＡＣＫメッセージを送信する。前記ＡＣＫメッセージは、前記ステップ２１９のＡＣＫメッセージと同一でありうる。このとき、前記ＡＣＫメッセージのＭＡＣヘッダに含むＦＩＤは、前記ステップ９０１のレンジング応答メッセージを介して基地局から受信する、又は短文メッセージの受信応答用途として予め定義されたＦＩＤに該当する。前記端末は、前記ＡＣＫメッセージを送信した後、前記ステップ９１３のアイドルモードに進む。仮に前記ＡＣＫメッセージを送信するアップリンク資源を割り当てずに前記ステップ９０７にて前記タイマーＸが満了すると、前記端末は、ステップ９１３のアイドルモードに進む。一方で、前記ＡＣＫメッセージを送信するアップリンク資源が割り当てられておらず、かつ前記ステップ９０７にて前記タイマーＸが満了していない場合、ステップ９０５に進んでＡＣＫメッセージ資源割り当てを待つ。
【００７２】
図１０は、本発明の実施例にかかる無線通信システムにおいて、短文メッセージに対する受信応答を処理する基地局の動作フローチャートを示している。
【００７３】
前記図１０に示すように、前記基地局は、前記ステップ１００１にてレンジング応答メッセージを介して前記端末に短文メッセージを送信する。前記レンジング応答メッセージは、前記ステップ２１５のレンジングメッセージに該当する。このとき、前記基地局は、前記端末がＡＣＫメッセージを送信するアップリンク資源のデコードの際に必要な識別子を前記レンジング応答メッセージを介して提供できる。前記基地局は、ステップ１００３にて前記端末がＡＣＫメッセージを送信するのに必要なアップリンク資源を割り当て、ステップ１００５にてタイマーＹを開始する。前記基地局は、ステップ１００７にて前記端末からＡＣＫメッセージを受信しているか否かを確認する。前記端末からＡＣＫメッセージを受信すると、前記基地局は、ステップ１０１１にて前記タイマーＹを中断し、ステップ１０１３にて前記受信したＡＣＫメッセージを処理する。以後、前記基地局は、ステップ１０１５にて前記端末をアイドルモードで管理し続ける。あるいは前記ステップ１００７の確認の結果、前記端末からＡＣＫメッセージが受信されていないと、ステップ１００９にて前記タイマーＹが満了したか否かを確認する。前記端末からＡＣＫメッセージを受信していない状態で前記タイマーＹが満了した場合、前記基地局は、ステップ１０１５に進んで前記端末をアイドルモードで管理し続け、前記端末の次のページング聴取区間で前記ステップ１００１の短文メッセージの送信を再び試みる。一方で、前記端末からＡＣＫメッセージを受信していない状態でかつ前記タイマーＹが満了していないと、ステップ１００７に進んでＡＣＫメッセージの受信を待つ。
【００７４】
一方、図３の実施例においてアイドルモード端末が短文メッセージを送信しようとする場合について説明したが、この場合に前記短文メッセージ送信及びＡＣＫメッセージ受信に必要なＳＴＩＤとＦＩＤとを割り当てた。ここで、前記ＳＴＩＤとＦＩＤとの割り当て無しで前記アイドルモード端末が短文メッセージを送信し、前記ＡＣＫメッセージを受信する方案について説明する。
【００７５】
図１１は、本発明の実施例にかかる無線通信システムにおいて、短文メッセージを処理する端末の動作フローチャートを示している。
【００７６】
前記図１１に示すように、アイドルモード端末は、送信すべき短文メッセージが発生した場合、前記図３の場合と同様に、短文メッセージを送信するための位置更新手順を行う（ステップ１１０１）。前記端末は、ステップ１１０３にて基地局からレンジング応答メッセージを受信する。前記ステップ１１０３のレンジング応答メッセージは、前記図３の３１１にて受信するレンジング応答メッセージに該当する。前記端末は、ステップ１１０５にてタイマーＡを開始し短文メッセージの送信に必要なアップリンク資源を前記基地局が割り当てることを待つ。前記端末は、ステップ１１０７にて前記短文メッセージの送信に必要なアップリンク資源が割り当てられたか否かを確認し、前記アップリンク資源が割り当てられた場合、ステップ１１１１にて前記タイマーＡを中断する。ここで、前記端末に割り当てたアップリンク資源のデコードの際に用いられる識別子は、前記基地局が前記ステップ１１０１のレンジング応答メッセージを介して割り当てることができる。あるいは前記端末のアイドルモード識別子に基づいて前記端末のページング周期などのように、前記端末を区分することのできる情報から構成された識別子に該当する。前記端末は、ステップ１１１３にて前記割り当てられたアップリンク資源を利用して短文メッセージを送信する。ステップ１１１３にて送信する短文メッセージは、前記ステップ３１３のＬ２送信メッセージに該当するか、又はさらに他のＬ２階層メッセージ（例えば、レンジング要請メッセージ）に該当する。前記短文メッセージのメッセージヘッダに含むＦＩＤは、前記ステップ１１０１にて基地局がレンジング応答メッセージを介して割り当てるＦＩＤであるか、又は短文メッセージを送信するために予め定義されたＦＩＤでありうる。以後、端末は、ステップ１１１５にて前記短文メッセージに対するＡＣＫメッセージを基地局から受信し、ステップ１１１７に進んでアイドルモード動作を行い続ける。一方、前記ステップ１１０９の判断の結果、タイマーＡが満了するまでに前記短文メッセージを送信するためのアップリンク資源が割り当てられなかった場合、前記端末は、ステップ１１０１に進んで短文メッセージを送信するための位置更新手順を再び行う。一方で、前記端末は、ステップ１１０９に進んでタイマーＡが満了していないとき、ステップ１１０７に進んで前記短文メッセージの送信に必要なアップリンク資源の割り当てを待つ。
【００７７】
図１２は、本発明の実施例にかかる無線通信システムにおいて、短文メッセージを処理する基地局の動作フローチャートを示している。
【００７８】
前記図１２に示すように、基地局は、短文メッセージを送信するために位置更新手順を行う端末にステップ１２０１にてレンジング応答メッセージを送信する。前記レンジング応答メッセージは、前記ステップ３１１のレンジング応答メッセージに該当する。前記基地局は、ステップ１２０３にて前記端末に短文メッセージを送信するのに必要なアップリンク資源を割り当て、ステップ１２０５にてタイマーＢを開始する。前記アップリンク資源は、前記端末に割り当てることを表すために前記端末を指示する識別子にエンコードされなければならず、前記識別子は、前記基地局が割り当て、前記ステップ１２０１のレンジング応答メッセージを介して送信するか、又は前記端末のアイドルモード識別子に基づいて前記端末のページング周期などを結合して構成することができる。前記基地局は、前記ステップ１２０３にて割り当てたアップリンク資源を介して、前記端末から短文メッセージが受信されるか否かを確認する（ステップ１２０７）。前記ステップ１２０７にて短文メッセージを受信すると、前記基地局は、ステップ１２１１にて前記タイマーＢを中断し、ステップ１２１３にて前記短文メッセージを処理する。前記基地局は、前記短文メッセージに対するＡＣＫメッセージをステップ１２１５にて前記端末に送信し、ステップ１２１７に進んで前記端末をアイドルモードで管理し続ける。前記ステップ１２０９にて前記タイマーＢが満了すると、前記基地局は、前記ステップ１２１７に進む。一方で、前記基地局は、ステップ１２０９に進んでタイマーＢが満了していないと、ステップ１２０７に進んで前記短文メッセージの受信を待つ。上述したように、本発明は、無線通信システムにおけるアイドルモードの端末に短文メッセージを送信するための方案、及びアイドルモード端末から短文メッセージを送信するための方案を提供することによって、アイドルモードと接続モードとの間で不必要な状態遷移をせずにデータを送信することができるという利点がある。
【００７９】
一方、本発明の詳細な説明では具体的な実施の形態について説明したが、本発明の範囲から逸脱しない範囲内で多様な変形が可能であることは勿論である。したがって、本発明の範囲は、上述の実施の形態に限定されず、特許請求の範囲だけでなく、特許請求の範囲と均等なものによって決まらねばならない。
【符号の説明】
【００８０】
１００、２００、３００：端末
１５０、２５０、３５０：基地局
８０１：ＲＦ処理器
８０３：ＡＤＣ
８０５：ＯＦＤＭ復調器
８０７：復号化器
８０９：メッセージ処理部
８１１：制御部
８１３：メッセージ生成部
８１９：符号化器
８２１：ＯＦＤＭ変調器
８２３：ＤＡＣ
【図１】
2011071983.tif 000005
【図２】
2011071983.tif 000006
【図３】
2011071983.tif 000007
【図４】
2011071983.tif 000008
【図５】
2011071983.tif 000009
【図６】
2011071983.tif 000010
【図７】
2011071983.tif 000011
【図８】
2011071983.tif 000012
【図９】
2011071983.tif 000013
【図１０】
2011071983.tif 000014
【図１１】
2011071983.tif 000015
【図１２】
2011071983.tif 000016